(57)【要約】【課題】可動床が最も低い位置にあるときの可動床とプール槽の底面との距離をより小さくするように設置可能な床下侵入防止機構を備えた可変床式プールを提供する。【解決手段】本発明による可変床式プールは，プール槽（１）と，プール槽（１）の底面（１ａ）の上方に，鉛直方向に可動に設けられた可動床（２）と，可動床（２）の，プール槽（１）の底面（１ａ）に面する側に接合された支持フレーム（３）と，一端が可動床（２）に接合され，他端がプール槽（１ａ）の底面（１ａ）に接合された，伸縮自在のシャッター機構（４）とを備えている。シャッター機構（４）は，シャッター機構（４）の可動床（２）とプール槽（１）底面（１ａ）との間を塞ぐのに寄与する部分が，支持フレーム（３）の鉛直方向の高さよりも短く縮むことが可能である。【選択図】　図１
2004092083.tif 000002
【特許請求の範囲】
【請求項１】
プール槽と，
前記プール槽の底面の上方に，鉛直方向に可動に設けられた可動床と，
前記可動床の，前記プール槽の前記底面に面する側に接合された支持フレームと，
一端が前記可動床に接合され，他端が前記底面に接合された，伸縮自在のシャッター機構
とを備え，
前記シャッター機構は，前記シャッター機構の前記可動床と前記底面との間を塞ぐのに寄与する部分が，前記支持フレームの前記鉛直方向の高さよりも短く縮むことが可能である
可変床式プール。
【請求項２】
請求項１に記載の可変床式プールにおいて，
前記シャッター機構は，
前記可動床に固定された上部シャッター部材と，
前記底面に固定された下部シャッター部材と，
前記上部シャッター部材と前記下部シャッター部材との間に，互いに相対移動可能に直列に連結されて介設された複数の中間シャッター部材
とを含み，
前記中間シャッター部材のそれぞれの前記鉛直方向の高さは，前記支持フレームの前記鉛直方向の高さよりも小さい
可変床式プール。
【請求項３】
請求項１に記載の可変床式プールにおいて，
前記中間シャッター部材のそれぞれは，
第１板材と，
前記第１板材と実質的に平行な第２板材と，
前記第１板材と前記第２板材とを連結する連結材
とを備え，
前記複数の中間シャッター部材の鉛直方向に隣接する２つの中間シャッター部材は，それぞれが備える前記第１板材が互いに接するとき，それぞれが備える前記第２板材が接するように連結されている
可変床式プール。
【請求項４】
プール槽と，
前記プール槽の底面の上方に，鉛直方向に可動に設けられた可動床と，
前記可動床の，前記プール槽の前記底面に面する側に接合された支持フレームと，
一端が前記可動床に接合され，他端が前記底面に接合された，伸縮自在のシャッター機構
とを備え，
前記シャッター機構は，
前記可動床に固定された上部シャッター部材と，
前記底面に固定された下部シャッター部材と，
前記上部シャッター部材と前記下部シャッター部材との間に，互いに相対移動可能に直列に連結されて介設された複数の中間シャッター部材
とを含み，
前記中間シャッター部材のそれぞれは，
第１板材と，
前記第１板材と実質的に平行な第２板材と，
前記第１板材と前記第２板材とを連結する連結材
とを備え，
前記複数の中間シャッター部材の鉛直方向に隣接する２つの中間シャッター部材は，それぞれが備える前記第１板材が互いに接するとき，それぞれが備える前記第２板材が接するように連結されている
可変床式プール。
【請求項５】
プール槽と，
前記プール槽の底面の上方に，鉛直方向に可動に設けられた可動床と，
前記可動床と前記底面との間に介設されたシャッター機構
とを備え，
前記シャッター機構は，直列に連結された複数の板材を含み，
前記複数の板材の隣接する２つの板材は，前記２つの板材の端において回動可能に連結されている
可変床式プール。
【請求項６】
プール槽と，
前記プール槽の底面の上方に，鉛直方向に可動に設けられた可動床と，
一端が前記プール槽の底面に固定されるシャッター機構と，
前記可動床と前記プール槽の床面との間に伸縮自在に介設された第１ガイドと，
前記可動床に，前記底面に面する側で接合され，前記可動床に沿って延設された第２ガイド
とを備え，
前記シャッター機構は，前記第１ガイドにより，前記プール槽の前記底面から前記可動床に向かって前記鉛直方向に摺動可能にガイドされ，前記第２ガイドにより，前記可動床に沿って摺動可能にガイドされる
可変床式プール。
【請求項７】
請求項６に記載の可変床式プールにおいて，
前記シャッター材は，直列に連結された複数の板材を含み，
前記複数の板材の隣接する２つの板材は，回動可能に連結されている
可変床式プール。
【発明の詳細な説明】
【０００１】
【発明の属する技術分野】
本発明は，可変床式プールに関し，特に，昇降する可動床の床下に，人や物体が侵入するのを防ぐ床下侵入防止機構に関する。
【０００２】
【従来の技術】
昇降可能な可動床を備えた可変床式プールは，プールの深さを用途に応じて調節可能である点で便利である。例えば，背の低い子供がプールで遊泳するときには，可動床を上昇することにより，子供の安全を確保できる。一方，シンクロナイズドスイミングが行われる場合には，可動床を下降することにより，シンクロナイズドスイミングを行うのに充分な深さが確保できる。
【０００３】
近年では，プールの深さを部分的に変更可能な可変床式プールの需要が高まっている。図１１は，このような可変床式プールの典型的な構成を示している。プール槽１０１の中には，昇降可能な可動床１０２が複数設けられる。可動床１０２は，互いに独立に昇降され，プールの深さが部分的に調節可能である。一の可動床１０２の代わりに固定床が使用されることがあり，また，更に多くの可動床が使用される場合もある。
【０００４】
隣接する可動床１０２の高さが異なる場合，隣接する可動床１０２の間には隙間１０３ができる。隙間１０３を介して人や物体が可動床１０２の床下に侵入することは，安全面から好ましくない。このような隙間１０３は，塞がれる必要がある。
【０００５】
特開平１１−１１７５５９号公報は，可動床が他の床よりも高い位置にある場合に，該可動床と該床との間に生じる隙間を塞ぐ滑り込み防止壁を開示している。公知のその滑り込み防止壁は，図１２（ａ），（ｂ）に示されているように，第１壁板１０４と，第２壁板１０５と，これらの壁板１０４，１０５の上下方向に亙る相対移動を自在とするスライド機構とを備えている。図１２（ａ）に示されているように，可動床１０６の最下降時，第１壁板１０４と第２壁板１０５とは，重畳する状態でプールの床面に凹設した収納部１０７に収容される。可動床１０６が固定床１０８よりも上昇した状態にある時には，壁板１０４と壁板１０５とは，可動床１０６の上昇量に応じて相対移動し，隙間開口１０９を閉鎖する。
【０００６】
公知のその滑り込み防止壁は，可動床１０６が最も低い位置にあるときの可動床１０６と収納部１０７の底面との距離を，第１壁板１０４及び第２壁板１０５の鉛直方向の高さよりも大きくする必要がある。これは，プール槽をより深く掘削する必要があることを意味し，工事コストを増大させる点で，好ましくない。
【０００７】
床下侵入防止機構は，可動床が最も低い位置にあるときの可動床とプール槽の底面との距離をより小さくするように設置されることが望まれる。
【０００８】
更に，床下侵入防止機構は，その強度が高いことが望まれる。
【０００９】
【発明が解決しようとする課題】
本発明の目的は、可動床が最も低い位置にあるときの可動床とプール槽の底面との距離をより小さくするように設置可能な床下侵入防止機構を備えた可変床式プールを提供することにある。
【００１０】
本発明の他の目的は、強度が高い床下侵入防止機構を備えた可変床式プールを提供することにある。
【００１１】
【課題を解決するための手段】
以下に、［発明の実施の形態］で使用される番号・符号を用いて、課題を解決するための手段を説明する。これらの番号・符号は、［特許請求の範囲］の記載と［発明の実施の形態］の記載との対応関係を明らかにするために付加されている。但し、付加された番号・符号は、［特許請求の範囲］に記載されている発明の技術的範囲の解釈に用いてはならない。
【００１２】
本発明による可変床式プールは，プール槽（１）と，プール槽（１）の底面（１ａ）の上方に，鉛直方向に可動に設けられた可動床（２）と，可動床（２）の，プール槽（１）の底面（１ａ）に面する側に接合された支持フレーム（３）と，一端が可動床（２）に接合され，他端がプール槽（１ａ）の底面（１ａ）に接合された，伸縮自在のシャッター機構（４）とを備えている。シャッター機構（４）は，シャッター機構（４）の可動床（２）とプール槽（１）底面（１ａ）との間を塞ぐのに寄与する部分が，支持フレーム（３）の鉛直方向の高さよりも短く縮むことが可能である。このような可変床式プールは，可動床（２）が最下降したときの可動床（２）とプール槽（１）の底面（１ａ）との距離を支持フレーム（３）の高さと実質的に同一にすることが可能であり，シャッター機構（４）の設置に必要なプール槽（１）の掘削量を抑制することができる。
【００１３】
この場合，シャッター機構（４）が，可動床（２）に固定された上部シャッター部材（５）と，底面（１ａ）に固定された下部シャッター部材（６）と，上部シャッター部材（５）と下部シャッター部材（６）との間に，互いに相対移動可能に直列に連結されて介設された複数の中間シャッター部材（７）とを含む場合，中間シャッター部材（７）のそれぞれの前記鉛直方向の高さは，前記支持フレーム（３）の前記鉛直方向の高さよりも小さいことが好適である。
【００１４】
中間シャッター部材（７）のそれぞれは，第１板材（７ａ）と，第１板材（７ａ）と実質的に平行な第２板材（７ｂ）と，第１板材（７ａ）と第２板材（７ｂ）とを連結する連結材（７ｃ）とを備え，複数の中間シャッター部材（７）の鉛直方向に隣接する２つの中間シャッター部材は，それぞれが備える第１板材（７ａ）が互いに接するとき，それぞれが備える第２板材（７ｂ）が接するように連結されていることが好適である。このような構造は，シャッター機構（４）の水平方向の強度を強化する。
【００１５】
本発明による可変床式プールは，プール槽（１）と，プール槽（１）の底面（１ａ）の上方に，鉛直方向に可動に設けられた可動床（２）と，可動床（２）の，前記プール槽（１）の底面（１ａ）に面する側に接合された支持フレーム（３）と，一端が可動床に接合され，他端がプール槽（１）の底面（１ａ）に接合された，伸縮自在のシャッター機構（４）とを備えている。シャッター機構（４）は，可動床（２）に固定された上部シャッター部材（５）と，プール槽（１）の底面（１ａ）に固定された下部シャッター部材（６）と，上部シャッター部材（５）と下部シャッター部材（６）との間に，互いに相対移動可能に直列に連結されて介設された複数の中間シャッター部材（７）とを含む。中間シャッター部材（７）のそれぞれは，第１板材（７ａ）と，第１板材（７ａ）と実質的に平行な第２板材（７ｂ）と，第１板材（７ａ）と第２板材（７ｂ）とを連結する連結材（７ｃ）
とを備えている。複数の中間シャッター部材（７）の鉛直方向に隣接する２つの中間シャッター部材は，それぞれが備える第１板材（７ａ）が互いに接するとき，それぞれが備える第２板材（７ｂ）が接するように連結されている。このようなシャッター機構（４）の水平方向の強度を強化する。
【００１６】
本発明による可変床式プールは，プール槽（１）と，プール槽（１）の底面（１ａ）の上方に，鉛直方向に可動に設けられた可動床（２）と，可動床（２）とプール槽（１）の底面（１ａ）との間に介設されたシャッター機構（４’）とを備えている。シャッター機構（４’）は，直列に連結された複数の板材（１３）を含み，複数の板材（１３）の隣接する２つの板材は，前記２つの板材の端において回動可能に連結されている。当該可変床式プールは，シャッター機構（４’）が折り畳み可能であり，可動床（２）が最も低い位置にあるときの可動床（２）とプール槽（１）の底面（１ａ）との距離をより小さくすることができる。
【００１７】
本発明による可変床式プールは，プール槽（１）と，プール槽（１）の底面（１ａ）の上方に，鉛直方向に可動に設けられた可動床（２）と，一端が前記プール槽の底面（１ａ）に固定されるシャッター機構（２０）と，可動床（２）とプール槽の床面との間に伸縮自在に介設された第１ガイド（２２）と，可動床（２）に，プール槽（１）の底面（１ａ）に面する側で接合され，可動床（２）に沿って延設された第２ガイド（２３）とを備えている。シャッター機構（２０）は，第１ガイド（２２）により，プール槽（１）の底面（１ａ）から可動床（２）に向かって前記鉛直方向に摺動可能にガイドされ，第２ガイド（２３）により，可動床（２）に沿って摺動可能にガイドされる。
【００１８】
シャッター機構は，直列に連結された複数の板材（２１）を含み，複数の板材（２２）の隣接する２つの板材は，回動可能に連結されていることが好適である。
【００１９】
【発明の実施の形態】
以下、添付図面を参照しながら、本発明による可変床式プールの実施の一形態を説明する。
【００２０】
（実施の第１形態）
図２は、本発明による可変床式プールの実施の第１形態を示す。実施の第１形態では，プール槽１の内部に，複数の可動床２が設けられている。可動床２は，独立に昇降可能である。図３は，可動床２を底面から見た図であり，図５（ａ）は，可動床２を側面から見た図である。図３及び図５（ａ）に示されているように，支持フレーム３が，可動床２の底面に接合されている。可動床２は支持フレーム３によって支持され，撓まないように補強されている。支持フレーム３は，図示されない駆動装置に接続されている。支持フレーム３は，該駆動装置によって昇降される。支持フレーム３の昇降により，可動床２は，所望の深さに移動される。
【００２１】
図２に示されているように，隣接する可動床２の高さが異なる場合，可動床２が隣接する位置に隙間ができる。この隙間を塞ぐために，可動床２の縁には床下侵入防止機構４が設けられている。
【００２２】
図１は，床下侵入防止機構４の構造を示す。床下侵入防止機構４は，上部シャッター部材５と，下部シャッター部材６と，複数の中間シャッター部材７とを含む。上部シャッター部材５は，可動床２の縁２ａに固定されている。下部シャッター部材６は，プール槽１の底面の固定床１ａに接合されている。複数の中間シャッター部材７は，ピン８により，鉛直方向に一列に連結されている。複数の中間シャッター部材７のうち最上部にあるものは，ピン９によって上部シャッター部材５に連結され，最下部にあるものは，ピン１０によって下部シャッター部材６に連結されている。上部シャッター部材５，下部シャッター部材６，及び複数の中間シャッター部材７により，可動床２の縁２ａと，固定床１ａとの間を塞ぐ閉塞面が形成され，人及び物体の可動床２の床下への侵入が防がれている。
【００２３】
図４は，上部シャッター部材５，下部シャッター部材６，及び中間シャッター部材７の構造を示す。中間シャッター部材７は，いずれも同一の構造を有しており，前壁板７ａと，後壁板７ｂと，連結板７ｃとを含む。前壁板７ａの上端と後壁板７ｂの下端とは連結板７ｃによって連結されている。図５（ｂ）に示されているように，前壁板７ａ及び後壁板７ｂは，いずれも連結板７ｃと実質的に垂直に接合され，従って，前壁板７ａと後壁板７ｂとは，実質的に平行である。図６に示されているように，連結板７ｃには，穴７ｄが設けられている。隣接する２つの中間シャッター部材７は，穴７ｄに通されたピン８によって連結される。中間シャッター部材７とピン８とは，摺動可能であり，従って，隣接する２つの中間シャッター部材７は，鉛直方向に相対移動可能である。
【００２４】
図４に示されているように，上部シャッター部材５は，前壁板５ａと，後壁板５ｂと，連結板５ｃとを含む。図５（ｃ）に示されているように，前壁板５ａは，可動床２の縁２ａに固定され，後壁板５ｂは，縁２ａから少し離れた位置で可動床２に接合されている。前壁板５ａと後壁板５ｂとは，実質的に平行である。前壁板５ａと後壁板５ｂとは，連結板５ｃによって連結されている。連結板５ｃは，前壁板５ａ及び後壁板５ｂに垂直に接合されている。図６に示されているように，連結板５ｃには穴５ｄが設けられ，穴５ｄには，上部シャッター部材５と最上部の中間シャッター部材７とを連結するピン９が通される。上部シャッター部材５とピン９とは摺動可能であり，ピン９と中間シャッター部材７とは摺動可能であり，従って，上部シャッター部材５と中間シャッター部材７とは，鉛直方向に相対移動可能である。
【００２５】
図４に示されているように，下部シャッター部材６は，前壁板６ａと，後壁板６ｂと，連結板６ｃと，床接合板６ｄを含む。図５（ｄ）に示されているように，床接合板６ｄは，図示されないボルトにより固定床１ａに接合される。前壁板６ａの下端は，床接合板６ｄに接合されている。前壁板６ａの上端と後壁板６ｂの下端とは連結板６ｃによって連結されている。前壁板６ａ及び後壁板６ｂは，連結板６ｃに垂直に接合され，従って，前壁板６ａと後壁板６ｂとは，実質的に平行である。連結板６ｃには，下部シャッター部材６と最下部の中間シャッター部材７とを連結するピン１０を通すための穴６ｅが設けられている。図１を参照して，下部シャッター部材６とピン１０とは，相互に摺動可能であり，ピン１０と中間シャッター部材７とは，相互に摺動可能であり，従って，下部シャッター部材６と中間シャッター部材７とは，鉛直方向に相対移動可能である。
【００２６】
このような構造を有する床下侵入防止機構４は，可動床２の昇降に応じて伸縮自在である。図６に示されているように，可動床２が上昇されると床下侵入防止機構４は伸ばされ，図７に示されているように，可動床２が下降されると上部シャッター機構５，下部シャッター機構６，及び中間シャッター機構７が互いに重なって床下侵入防止機構４は縮められる。伸縮自在である床下侵入防止機構４は，可動床２の高さに関わらず，可動床２の縁２ａと固定床１ａとの間を閉塞することが可能である。
【００２７】
図７を参照して，床下侵入防止機構４は，可動床２と固定床１ａとの間を塞ぐのに寄与する部分が，支持フレーム３の鉛直方向の高さよりも短く縮むことが可能であるような構造を有している。このような構造は，可動床２が最も降下したときの可動床２と固定床１ａとの距離を最小化し，デッドスペースを減少させる点で好適である。支持フレーム３は，可動床２の補強のために不可欠であるから，可動床２と固定床１ａとの間の空間は，原理的に，支持フレーム３の高さよりも狭くならない。床下侵入防止機構４を支持フレーム３の高さよりも小さくなるように縮むことができるように構成することにより，可動床２と固定床１ａとの間の空間が最も狭くなる場合でも，床下侵入防止機構４は，可動床２と固定床１ａとの間の空間に収容可能である。これにより，可動床２が最も降下したときの可動床２と固定床１ａとの距離が最小化される。
【００２８】
床下侵入防止機構４を支持フレーム３の高さよりも短く縮み得るようにするために，図５（ａ）乃至（ｄ）に示されているように，中間シャッター部材７の高さｈ２と，可動床２の底面と上部シャッター部材５の下端との高さの差ｈ３と，下部シャッター部材６の上端の固定床１ａからの高さｈ４とは，支持フレーム３の高さｈ１よりも小さいことが好適である。
【００２９】
図６を参照して，上述の中間シャッター部材７は，隣接する２つの中間シャッター部材７の前壁板７ａ同士が接触するとき，該２つの中間シャッター部材７の後壁板７ｂ同士が接触するような構造を有している。このような中間シャッター部材７の構造は，床下侵入防止機構４の水平方向の強度を高くする点で好適である。床下侵入防止機構４に水平方向に力が印加されると（即ち，前壁板７ａに概ね垂直な方向に力が印加されると），隣接する中間シャッター部材７の前壁板７ａ同士が接触し，更に後壁板７ｂ同士が接触する。従って，水平方向に印加された力は，中間シャッター部材７の前壁板７ａと後壁面７ｂの２つの面で支持される。このような構造により，床下侵入防止機構４の水平方向の強度が強化されている。
【００３０】
以上に説明されているように本実施の形態の床下侵入防止機構４は，可動床２が最も降下したときの可動床２と固定床１ａとの距離を小さくできる。更に，本実施の形態の床下侵入防止機構４は，水平方向に力が印加されたときの強度が高い。
【００３１】
上述の床下侵入防止機構４は，２つの可動床が隣接する位置以外にも適用可能である。床下侵入防止機構４は，固定床と隣接する可動床の該固定床との境界部において使用可能であり，また，スロープに隣接する可動床の該スロープとの境界部において使用可能である。
【００３２】
（実施の第２形態）
図８は，本発明による昇降床式プールの実施の第２形態を示す。実施の第２形態では，可動床２の縁２ａと固定床１ａとの間の空間を塞ぐために，図８の床下侵入防止機構４’が使用される。床下侵入防止機構４’は，折り畳みシャッター１１と２本のガイド支柱１２とを備えている。折り畳みシャッター１１は，複数の板材１３を含む。複数の板材１３の上下の端には，ヒンジ１４が接合されている。板材１３は，ヒンジ１４によって一列に連結され，隣接する２つの板材１３は，ヒンジ１４を軸として回動可能である。このような構造を有する折り畳みシャッター１１は，折り畳み可能である。折り畳みシャッター１１の一端は，可動床２の縁２ａに接合され，他端は，固定床１ａに接合されている。板材１３のそれぞれには，その水平方向の両端に，リング１５が接合されている。
【００３３】
２本のガイド支柱１２は，可動床２の縁２ａと固定床１ａとの間に介設されている。既述のリング１５は，ガイド支柱１２に通されており，ガイド支柱１２と摺動可能に接触している。ガイド支柱１２は，折り畳みシャッター１１を案内する。ガイド支柱１２は，伸縮自在である。
【００３４】
このような構造を有する床下侵入防止機構４’は，可動床２の昇降に応じて伸縮自在である。可動床２が上昇すると，折り畳みシャッター１１は，ガイド支柱１２に沿って伸展される。可動床２が下降すると，折り畳みシャッター１１は折り畳まれる。伸縮自在である床下侵入防止機構４’は，可動床２の高さに関わらず，可動床２の縁２ａと固定床１ａとの間を閉塞することが可能である。
【００３５】
床下侵入防止機構４’は，可動床２が下降したときに折り畳みシャッター１１が折り畳まれるため，可動床２が最も降下したときの可動床２と固定床１ａとの距離を小さくすることが可能である。可動床２が降下すると，鉛直方向に立っていた板材１３は，水平方向に寝かせられ，従って，床下侵入防止機構４’は，鉛直方向にコンパクトに折り畳み可能である。床下侵入防止機構４’は，可動床２が最も降下したときの可動床２と固定床１ａとの距離を小さくでき，従って，プール槽１の掘削量を減少できる。
【００３６】
（実施の第３形態）
図９は，本発明による昇降床式プールの実施の第３形態を示す。実施の第３形態では，可動床２の縁２ａと固定床１ａとの間の空間を塞ぐために，図９の床下侵入防止機構４”が使用される。
【００３７】
床下侵入防止機構４”は，シャッター機構２０と，レール２２，２３と，滑車２４とを備えている。シャッター機構２０は，一列に連結された板材２１で構成されている。隣接する板材２１は、その端で回動可能に連結されている。シャッター機構２０の一端は，固定床１ａに固定されている。
【００３８】
レール２２は、シャッター機構２０を固定床１ａから鉛直方向にガイドする。レール２２は、図１０に示されているように、一端が固定床１ａに接続され、他端が結合部材２５によって可動床２に接合されている。レール２２は、伸縮自在であり、その長さは、可動床２の昇降に応じて伸縮する。
【００３９】
図９を参照して、レール２３と滑車２４とは、可動床２の底面に接合されている。ただし、図９では、可動床２は図示されていない。滑車２４は、シャッター機構２０の延伸方向を鉛直方向から可動床２の底面に沿った方向に変える。レール２３は、シャッター機構２０を可動床２の底面に沿った方向にガイドする。
【００４０】
可動床２が上昇すると，シャッター機構２０は、可動床２の底面に接合されたレール２３から引き出され、可動床２が下降すると、シャッター機構２０は、レール２３に収納される。このような床下進入防止機構４”は、可動床２の高さに関わらず，可動床２の縁２ａと固定床１ａとの間を閉塞することが可能である。床下進入防止機構４”は、可動床２が下降したときにシャッター機構２０が可動床２の底面に沿って収納されるため、可動床２が最も降下したときの可動床２と固定床１ａとの距離を小さくすることが可能である。従って，実施の第３形態の床下進入防止機構４”は、それを設置するために必要なプール槽１の掘削量を減少できる。
【００４１】
【発明の効果】
本発明により、可動床が最も低い位置にあるときの可動床とプール槽の底面との距離をより小さくするように床下侵入防止機構を設置することが可能になる。
【００４２】
また、本発明により、床下侵入防止機構の強度を高くすることができる。
【図面の簡単な説明】
【図１】図１は、本発明による可変床式プールの実施の第１形態における床下進入防止機構４を示す。
【図２】図２は、本発明による可変床式プールの実施の第１形態を示す。
【図３】図３は、支持フレーム３を示す底面図である。
【図４】図４は、上部シャッター部材５、下部シャッター部材６、及び中間シャッター部材７の構造を示す射影投影図を示す。
【図５】図５は、支持フレーム３、上部シャッター部材５、下部シャッター部材６、及び中間シャッター部材７の構造を示す断面図である。
【図６】図６は、上部シャッター部材５及び中間シャッター部材７の構造を示す拡大図である。
【図７】図７は、可動床２が最も降下したときの床下進入防止機構４の状態を示す。
【図８】図８は、本発明による可変床式プールの実施の第２形態を示す。
【図９】図９は、本発明による可変床式プールの実施の第３形態を示す。
【図１０】図１０は、本発明による可変床式プールの実施の第３形態を示す。
【図１１】図１１は、従来の可変床式プールを示す。
【図１２】図１２は、従来の可動床式プール用滑り込み防止壁を示す。
【符号の説明】
１：プール槽
２：可動床
３：支持フレーム
４，４’，４”：床下侵入防止機構
５：上部シャッター部材
６：下部シャッター部材
７：中間シャッター部材
８〜１０：ピン
１１：折り畳みシャッター
１２：ガイド支柱
１３：板材
１４：ヒンジ
１５：リング
２０：シャッター機構
２１：板材
２２：レール
２３：レール
２４：滑車
２５：結合部材
【図１】
2004092083.tif 000003
【図２】
2004092083.tif 000004
【図３】
2004092083.tif 000005
【図４】
2004092083.tif 000006
【図５】
2004092083.tif 000007
【図６】
2004092083.tif 000008
【図７】
2004092083.tif 000009
【図８】
2004092083.tif 000010
【図９】
2004092083.tif 000011
【図１０】
2004092083.tif 000012
【図１１】
2004092083.tif 000013
【図１２】
2004092083.tif 000014